(57)【要約】【課題】操作が許されていない使用者による使用を防止しつつ、操作指示を受け付け可能な状態に容易に変更可能とすること。【解決手段】使用者による操作指示時に、使用者の所持する無線タグ１０の無線タグＩＤを読み取り、その無線タグＩＤが登録されているものである場合には、前記操作指示に応じた処理を実行するようにした。そのため、ＩＤ登録済みの無線タグ１０を所持することで、操作指示を受け付け可能な状態とすることができ、例えば、ユーザＩＤ等を入力してログイン状態とする方法に比べ、操作指示を受け付け可能な状態に容易に変更できる。  また、ＩＤ登録済みの無線タグ１０を所持してない場合には、操作指示を受け付けない状態とすることができ、操作が許されていない使用者による使用を防止できる。【選択図】図１
2007193737.tif 000002
【特許請求の範囲】
【請求項１】
使用者による操作指示時に、使用者の所持する無線タグのＩＤを読み取る読み取り手段と、その読み取ったＩＤが登録されているＩＤであるか否かを判定する判定手段と、登録されているＩＤである場合には、前記操作指示に応じた処理を実行する処理実行手段と、を備えたことを特徴とする情報処理装置。
【請求項２】
複数の使用者の無線タグのＩＤを記憶する記憶手段を備え、
前記判定手段は、前記読み取り手段で読み取ったＩＤが前記記憶手段に記憶されているＩＤであるか否かを判定することを特徴とする請求項１に記載の情報処理装置。
【請求項３】
前記記憶手段は、使用者を特定する情報が入力されると、使用者の所持する無線タグのＩＤを読み取って記憶することを特徴とする請求項２に記載の情報処理装置。
【請求項４】
前記処理実行手段は、前記操作指示が前記読み取り手段で読み取ったＩＤに対応する使用者に許されている操作指示であるか否かを判定する許可判定手段と、許されていない操作指示である場合には、前記操作指示に応じた処理の実行を禁止する処理禁止手段と、を備えたことを特徴とする請求項１から３のいずれか１項に記載の情報処理装置。
【請求項５】
前記許可判定手段は、前記読み取り手段で複数のＩＤが読み取られた場合、前記操作指示が前記複数のＩＤに対応する全使用者に許されている操作指示であるか否かを判定し、
前記処理禁止手段は、全使用者には許されていない操作指示である場合には、前記操作指示に応じた処理の実行を禁止することを特徴とする請求項４に記載の情報処理装置。
【請求項６】
前記処理実行手段は、使用者が交代した回数を計数する計数手段と、使用者が所定人数以上交代した場合には、前記操作指示に応じた処理の実行を禁止する第２の処理禁止手段と、を備えたことを特徴とする請求項１から５のいずれか１項に記載の情報処理装置。
【請求項７】
記憶性表示体に情報を表示する情報表示装置であって、
使用者による操作指示時に、使用者の所持する無線タグのＩＤを読み取る読み取り手段と、その読み取ったＩＤが登録されているＩＤであるか否かを判定する判定手段と、登録されているＩＤである場合には、前記操作指示に応じた処理を実行する処理実行手段と、を備えたことを特徴とする情報表示装置。
【発明の詳細な説明】
【技術分野】
【０００１】
本発明は、機密性の高い情報を表示する情報表示装置に適した情報処理装置及び情報表示装置に関する。
【背景技術】
【０００２】
従来、この種の情報処理装置としては、情報表示装置に適用され、使用者による操作指示に先立ち、ユーザＩＤ及びパスワードを使用者に入力させて使用者を特定し、その使用者が情報表示装置の操作を許されている使用者である場合に、情報表示装置への操作指示を受け付け可能な状態（ログイン状態）とするものがある（例えば、特許文献１参照）。
このような情報処理装置にあっては、一般に、情報表示装置の使用後に、情報表示装置への操作指示を受け付けない状態（ログアウト状態）に遷移することで、情報表示装置の操作を許されていない使用者によって操作されることを防止できようになっている。
【特許文献１】特開平９−２４５１３８号公報
【発明の開示】
【発明が解決しようとする課題】
【０００３】
しかしながら、上記従来の情報処理装置にあっては、例えば、情報表示装置を文書データの回覧に用いる場合には、使用者が変わるたびに、ログアウト状態としてから再びログイン状態としなければならず、文書データ閲覧のための操作が煩雑となる恐れがあった。
本発明は、上記従来の情報表示装置の未解決の課題を解決することを目的とするものであって、操作が許されていない使用者による使用を防止しつつ、操作指示を受け付け可能な状態に容易に変更可能な情報処理装置及び情報表示装置を提供することを課題とする。
【課題を解決するための手段】
【０００４】
上記課題を解決するために、本発明の情報処理装置にあっては、使用者による操作指示時に、使用者の所持する無線タグのＩＤを読み取る読み取り手段と、その読み取ったＩＤが登録されているＩＤであるか否かを判定する判定手段と、登録されているＩＤである場合には、前記操作指示に応じた処理を実行する処理実行手段と、を備えたことを特徴とする。
【０００５】
また、複数の使用者の無線タグのＩＤを記憶する記憶手段を備え、前記判定手段は、前記読み取り手段で読み取ったＩＤが前記記憶手段に記憶されているＩＤであるか否かを判定するようにしてもよい。
さらに、使用者を特定する情報（例えば、ユーザＩＤ及び）が入力されると、使用者の所持する無線タグのＩＤを読み取って登録する登録手段を備えるようにしてもよい。
【０００６】
また、前記処理実行手段は、前記操作指示が前記読み取り手段で読み取ったＩＤに対応する使用者に許されている操作指示であるか否かを判定する許可判定手段と、許されていない操作指示である場合には、前記操作指示に応じた処理の実行を禁止する処理禁止手段と、を備えるようにしてもよい。
さらに、前記許可判定手段は、前記読み取り手段で複数のＩＤが読み取られた場合、前記操作指示が前記複数のＩＤに対応する全使用者に許されている操作指示であるか否かを判定し、前記処理禁止手段は、全使用者には許されていない操作指示である場合には、前記操作指示に応じた処理の実行を禁止するようにしてもよい。
【０００７】
また、前記処理実行手段は、使用者が交代した回数を計数する計数手段と、使用者が所定人数以上交代した場合には、前記操作指示に応じた処理の実行を禁止する第２の処理禁止手段と、を備えるようにしてもよい。
一方、本発明の情報表示装置は、記憶性表示体に情報を表示する情報表示装置であって、使用者による操作指示時に、使用者の所持する無線タグのＩＤを読み取る読み取り手段と、その読み取ったＩＤが登録されているＩＤであるか否かを判定する判定手段と、登録されているＩＤである場合には、前記操作指示に応じた処理を実行する処理実行手段と、を備えたことを特徴とする。
【０００８】
このような構成によれば、ＩＤ登録済みの無線タグを所持することで、操作指示を受け付け可能な状態とすることができ、例えば、ユーザＩＤやパスワードを入力してログイン状態とする方法に比べ、操作指示を受け付け可能な状態に容易に変更することができる。
また、ＩＤ登録済みの無線タグを所持してない場合には、操作指示を受け付けない状態とすることができ、操作が許されていない使用者による使用を防止することができる。
【発明を実施するための最良の形態】
【０００９】
以下、本発明の情報処理装置を適用した情報表示装置の実施形態を図面に基づいて説明する。
すなわち、この情報表示装置は、使用者による操作指示時に、使用者の所持する無線タグのＩＤを読み取り、その読み取ったＩＤが登録されているＩＤであるか否かを判定し、登録されているＩＤである場合には、前記操作指示に応じた処理を実行するものである。
ここで、無線タグは、ＲＦタグ、ＩＣタグ又は電子タグとも呼ばれ、それぞれが固有のＩＤ（無線タグＩＤ）を有し、電波又は電磁誘導を用い近距離で通信可能なものである。
【００１０】
＜第１実施形態＞
＜情報表示装置の構成＞
図１は、本実施形態の情報表示装置の内部構成を示すブロック図である。図１に示すように、情報表示装置２０は、副処理部２００及び主処理部３００を含んで構成される。
【００１１】
副処理部２００は、認証情報入力部２１０、操作入力部２２０、読み取り部２３０、副記憶部２４０、副制御部２５０、及び電源制御部２６０を含んで構成される。
認証情報入力部２１０は、ユーザＩＤ及びパスワードを入力するときに用いられるキーボードを含んで構成される。そして、認証情報入力部２１０は、ユーザＩＤ及びパスワードが入力されると、その入力内容を副制御部２５０に出力する。
【００１２】
操作入力部２２０は、表示対象である文書データのページ捲り・ファイル選択等の操作指示に用いられるボタンを含んで構成される。そして、操作入力部２２０は、操作指示が入力されると、その入力内容を副制御部２５０に出力する。
読み取り部２３０は、使用者の所持している無線タグ１０と通信をして無線タグＩＤを読み取り、その読み取り結果を副制御部２５０に出力する。
【００１３】
副記憶部２４０は、図２に示すように、情報表示装置２０の使用を許可された使用者に対応づけられているユーザＩＤ、パスワード（特定のハッシュ関数で変換したパスワードコード）、及び無線タグＩＤ（個人認証情報）を使用者毎に記憶する。すなわち、複数の使用者の個人認証情報（無線タグＩＤ）を記憶する。なお、無線タグＩＤが対応付けされていない場合には、無線タグＩＤとして数値０を記憶する。
【００１４】
副制御部２５０は、副記憶部２４０を参照し、認証情報入力部２１０、操作入力部２２０、及び読み取り部２３０からの出力に基づいて、後述する無線タグ登録処理及び操作許可判定処理を実行し、電源制御部２６０及び主制御部３２０（後述）を制御する。
電源制御部２６０は、副制御部２５０及び主制御部３２０からの指令に従って、主処理部３００への電力の供給状態を制御する。
【００１５】
主処理部３００は、主記憶部３１０、主制御部３２０、及び表示部３３０を含んで構成される。
主記憶部３１０は、不揮発性メモリ及び揮発性メモリを含んで構成される。そして、不揮発性メモリは、論理的なファイルシステムを構成し、文書データ、アクセス権情報といった永続的な情報を記憶する。また、揮発性メモリは、描画処理等で生ずる一時的なデータを記憶する。
【００１６】
主制御部３２０は、主記憶部３１０を参照し、副制御部２５０からの出力に基づいて、後述する文書描画処理を実行し、表示部３３０を制御する。
また、アクセス権情報としては、図３に示すように、ユーザＩＤ、文書データの表示を許可するか否かを示す文書表示許可フラグ、文書データの一覧表示を許可するか否かを示す一覧表示許可フラグを各フォルダについて使用者毎に記憶する。なお、全ての使用者を示す場合には、ユーザＩＤとして数値０を記憶する。また、許可がされている場合には文書表示許可フラグのフラグ値或いは一覧表示許可フラグのフラグ値として数値１を記憶し、許可されていない場合にはフラグ値として数値０を記憶する。
表示部３３０は、表示内容の書き換え時のみ電力を消費する記憶性表示体を含んで構成される。そして、表示部３３０は、主制御部３２０からの指令に従って、記憶性表示体の表示内容を書き換える。
【００１７】
＜無線タグ登録処理＞
次に、副制御部２５０で実行される無線タグ登録処理を図４のフローチャートに基づいて説明する。この無線タグ登録処理は、使用者がユーザＩＤ及びパスワードを入力すると実行される処理であって、まず、そのステップＳ１０１で、前記入力されたユーザＩＤ及びパスワードを認証情報入力部２１０から取得する。
【００１８】
次にステップＳ１０２に移行して、副記憶部２４０に記憶されている複数の個人認証情報のうちに、ユーザＩＤ及びパスワードが前記ステップＳ１０２で取得されたものと一致するものがあるか否を判定する。そして、一致するものがない場合には（不一致）情報表示装置２０の使用が許可されていない使用者であるとみなしてこの演算処理を終了し、一致するものがある場合には（一致）ステップＳ１０３に移行する。
【００１９】
前記ステップＳ１０３では、使用者の所持している無線タグ１０の無線タグＩＤを読み取り部２３０に読み取らせ、その読み取り結果を読み取り部２３０から取得する。
次にステップＳ１０４に移行して、読み取り部２３０による無線タグＩＤの読み取りが成功したか否かを判定する。そして、成功した場合には（成功）ステップＳ１０５に移行し、失敗した場合には（失敗）この演算処理を終了する。
前記ステップＳ１０５では、前記ステップＳ１０３で取得された無線タグＩＤを、前記ステップＳ１０２でユーザＩＤ及びパスワードが一致すると判定された個人認証情報に対応付けて副記憶部２４０に記憶させてから、この演算処理を終了する。
【００２０】
＜操作許可判定処理＞
次に、副制御部２５０で実行される操作許可判定処理を図５のフローチャートに基づいて説明する。この操作許可判定処理は、使用者が操作指示を入力すると実行される処理であって、そのステップＳ２０１で、前記操作指示を操作入力部２２０から取得する。
【００２１】
次にステップＳ２０２に移行して、使用者の所持している無線タグ１０の無線タグＩＤを読み取り部２３０に読み取らせ、その読み取り結果を読み取り部２３０から取得する。
次にステップＳ２０３に移行して、読み取り部２３０による無線タグＩＤの読み取りが成功したか否かを判定する。そして、成功した場合には（成功）ステップＳ２０４に移行し、失敗した場合には（失敗）この演算処理を終了する。
【００２２】
前記ステップＳ２０４では、副記憶部２４０に記憶されている複数の個人認証情報のうちに、無線タグＩＤが前記ステップＳ２０２で取得されたものと一致するものがあるか否かを判定する。そして、一致するものがない場合には（無線タグＩＤ記憶なし）情報表示装置２０の使用が許可されていない使用者であるとみなしてこの演算処理を終了し、一致するものがある場合には（無線タグＩＤ記憶あり）ステップＳ２０５に移行する。
【００２３】
前記ステップＳ２０５では、前記ステップＳ２０４で無線タグＩＤが一致すると判定された個人認証情報のユーザＩＤを副記憶部２４０から読み出す。
次にステップＳ２０６に移行して、主処理部３００が動作可能状態となるように、主処理部３００への電力供給を電源制御部２６０に開始させる。
次にステップＳ２０７に移行して、主処理部３００が動作可能状態となった後、前記ステップＳ２０１で取得された操作指示及び前記ステップＳ２０５で読み出したユーザＩＤを主制御部３２０に出力してから、この演算処理を終了する。
【００２４】
＜文書描画処理＞
次に、主制御部３２０で実行される文書描画処理を図６のフローチャートに基づいて説明する。この文書描画処理は、副制御部２５０が操作指示及びユーザＩＤを出力すると実行される処理であって、まず、そのステップＳ３０１で、前記出力された操作指示及びユーザＩＤを副制御部２５０から取得する。
【００２５】
次にステップＳ３０２に移行して、主記憶部３１０に記憶されているアクセス権情報のうち、ユーザＩＤが前記ステップＳ３０１で取得されたものと一致し且つ前記ステップＳ３０１で取得された操作指示が対象とするフォルダに対応するものを参照し、前記操作指示が許可されているか否かを判定し、許可されている場合には（操作許可）ステップＳ３０３に移行し、許可されていない場合には（操作不許可）この演算処理を終了する。
【００２６】
具体的には、操作指示がページ捲りやページジャンプ等、文書データの表示を指示している場合には文書表示許可フラグが「１」であるか否かを判定し、文書データの一覧表示を指示している場合には一覧表示許可フラグが「１」であるか否かを判定する。
なお、例えば、複数の無線タグ１０の無線タグＩＤが取得され、複数のユーザＩＤが取得された場合には、それら複数のユーザＩＤに対応する全使用者に前記操作指示が許可されているか否かを判定し、前記全使用者に許可されている場合には（操作許可）ステップＳ３０３に移行し、許可されていない場合には（操作不許可）この演算処理を終了する。
【００２７】
前記ステップＳ３０３では、前記ステップＳ３０１で取得された操作指示に従って、文書データの画像又は文書一覧の画像を表示部３３０に表示させる描画処理を実行する。
次にステップＳ３０４に移行して、描画処理が終了した後、主処理部３００への電力供給を終了させるよう電源制御部２６０に指示してから、この演算処理を終了する。
【００２８】
＜情報表示装置の具体的動作＞
次に、本実施形態の情報表示装置２０の具体的動作を図面に基づいて説明する。
まず、所望の文書データを情報表示装置２０に表示させようと、使用者が操作指示を入力したとする。すると、副制御部２５０によって操作許可判定処理が実行され、図５に示すように、そのステップＳ２０１で、前記操作指示が操作入力部２２０から取得される。
また、ステップＳ２０２で、使用者の所持している無線タグ１０の無線タグＩＤが読み取り部２３０で読み取られ、その読み取り結果が読み取り部２３０から取得される。
【００２９】
さらに、ステップＳ２０３の判定が「成功」となり、また、使用者が所持している無線タグ１０の無線タグＩＤを含む個人認証情報が副記憶部２４０に記憶されていたとすると、ステップＳ２０４の判定が「無線タグＩＤ記録あり」となり、ステップＳ２０５で、前記無線タグＩＤを含む個人認証情報のユーザＩＤが副記憶部２４０から読み出される。
また、ステップＳ２０６で、主処理部３００への電力供給を電源制御部２６０に開始させ、主処理部３００が動作可能となると、ステップＳ２０７で、前記取得された操作指示及び前記読み出されたユーザＩＤが主制御部３２０に出力され、演算処理が終了する。
【００３０】
次に、主制御部３２０で文書描画処理が実行され、図６に示すように、まず、そのステップＳ３０１で、前記操作指示及び前記ユーザＩＤが副制御部２５０から取得される。
また、前記操作指示が対象とするフォルダ及び前記ユーザＩＤに対応する文書表示許可フラグとして数値「１」が主記憶部３１０に記憶されていたとすると、ステップＳ３０２の判定が「操作許可」となり、ステップＳ３０３で、前記操作指示に従って描画処理が実行され、文書データの画像が表示部３３０に表示され、ステップＳ３０４で、主処理部３００への電力供給を電源制御部２６０に終了させてから、この演算処理を終了する。
【００３１】
このように、本実施形態の情報表示装置２０にあっては、使用者による操作指示時に、使用者の所持する無線タグ１０の無線タグＩＤを読み取り、その読み取られた無線タグＩＤが登録されている無線タグＩＤである場合にのみ、前記操作指示に応じた処理を実行するようにした。そのため、ＩＤ登録済みの無線タグ１０を所持することで、操作指示を受け付け可能な状態とすることができ、例えば、ユーザＩＤ等を入力してログイン状態とする方法に比べ、操作指示を受け付け可能な状態に容易に変更することができる。
【００３２】
また、ＩＤ登録済みの無線タグ１０を所持してない場合には、操作指示を受け付けない状態とすることができ、操作が許されていない使用者による使用を防止できる。
また、ユーザＩＤ及びパスワードが入力されると、使用者の所持する無線タグ１０から無線タグＩＤを読み取って登録するようにした。そのため、例えば、無線タグＩＤを手入力する方法に比べ、無線タグ１０の無線タグＩＤを容易に登録することができる。
【００３３】
さらに、使用者による操作指示が、その使用者に許されている操作指示であるか否かを判定し、許されていない操作指示である場合には、前記操作指示に応じた処理の実行を禁止するようにしたため、機密性の高い文書データの表示に好適である。
また、使用者によって操作指示が入力されたときにのみ、主処理部３００に電力を供給するようにしたため、情報表示装置２０全体として消費電力を低減することができる。
【００３４】
＜第２実施形態＞
次に、本発明の情報処理装置の第２実施形態を図面に基づいて説明する。
この第２実施形態は、使用者が所定人数以上交代した場合には、使用者の操作指示に応じた処理の実行を禁止するようにした点が、前記第１実施形態と異なる。
具体的には、図７に示すように、交代可能な人数を設定する使用者許可数設定処理（後述）を副制御部２５０が実行され、図８に示すように、操作許可判定処理のステップＳ２０５とＳ２０６との間に、交代した人数を計数し、その計数結果が前記設定数以上である場合に演算処理を終了するステップＳ５０１〜Ｓ５０３が追加されている。
【００３５】
＜使用者許可数設定処理＞
次に、副制御部２５０で実行される使用者許可数設定処理を図７のフローチャートに基づいて説明する。この使用者許可数設定処理は、情報表示装置２０の使用を許可する最大数人数（使用者許可数）を入力すると実行される処理であって、まず、そのステップＳ４０１で、前記入力された使用者許可数を取得する。
次にステップＳ４０２に移行して、前記ステップＳ４０１で取得された使用者許可数を副記憶部２４０に記憶してから、この演算処理を終了する。
【００３６】
＜操作許可判定処理＞
前記ステップＳ５０１では、前記ステップＳ２０２で取得された無線タグＩＤが、この演算処理の前回実行時に取得された無線タグＩＤと異なるもの（新しい無線タグＩＤ）であるか否かを判定する。そして、異なるものである場合には（はい）ステップＳ５０２に移行し、同じものである場合には（いいえ）前記ステップＳ２０６に移行する。
前記ステップＳ５０２では、情報表示装置２０の使用者数を示す使用者数フラグに「１」を加算する。なお、初期状態にあっては、使用者数フラグは「０」である。
次にステップＳ５０３に移行して、前記ステップＳ５０２で加算が行われた使用者数フラグの値が、前記使用者許可数設定処理で設定された使用者許可数より小さいか否かを判定する。そして、使用者許可数より小さい場合には（はい）ステップＳ２０６に移行し、使用者許可数以上である場合には（いいえ）この演算処理を終了する。
【００３７】
このように、本実施形態の情報表示装置２０にあっては、使用者が交代した回数を計数し、使用者が所定人数以上交代した場合には、使用者の操作指示に応じた処理の実行を禁止するようにしたため、機密性の高い文書データの表示に好適である。
なお、本発明の情報処理装置及び情報表示装置は、上記実施形態の内容に限定されるものではなく、本発明の趣旨を逸脱しない範囲で適宜変更可能である。
【００３８】
上記実施形態では、ユーザＩＤ及びパスワードによって個人認証を行う例を示したが、これに限られるものではない。例えば、指紋や声紋等、使用者の生体情報に関するコードを個人認証情報に追加し、そのコードによって個人認証を行うようにしてもよい。
また、各使用者のアクセス権情報を、主記憶部３１０に構成される論理的なファイルシステムのフォルダ毎に設定する例を示したが、これに限られるものではない。例えば、文書データ毎に直接設定するようにしてもよい。
【００３９】
さらに、使用が許可された使用者ではない場合に、操作指示を無視する例を示したが、これに限られるものではない。例えば、表示部３３０の表示内容を消去してもよい。
また、使用者による操作指示時に無線タグＩＤを取得する例を示したが、これに限られるものではない。例えば、一定時間が経過するたびに無線タグＩＤを取得してもよい。
さらに、文書描画処理が終了するたびに主処理部３００への電力供給を終了する例を示したが、これに限られるものではない。例えば、主処理部３００の演算装置やメモリを休眠状態としておき、文書描画処理を行う際に休眠状態から復帰するようにしてもよい。
【図面の簡単な説明】
【００４０】
【図１】本発明を適用した情報表示装置の内部構成を示すブロック図である。
【図２】個人認証情報を説明するための説明図である。
【図３】アクセス権情報を説明するための説明図である。
【図４】無線タグ登録処理を示すフローチャートである。
【図５】操作許可判定処理を示すフローチャートである。
【図６】文書描画処理を示すフローチャートである。
【図７】使用者許可数設定処理を示すフローチャートである。
【図８】操作許可判定処理の変形例を示すフローチャートである。
【符号の説明】
【００４１】
１０は無線タグ、２０は情報表示装置、２００は副処理部、２１０は認証情報入力部、２２０は操作入力部、２３０は操作入力部、２４０は副記憶部、２５０は副制御部、２６０は電源制御部、３００は主処理部、３１０は主制御部、３２０は表示部、３３０は主記憶部
【図１】
2007193737.tif 000003
【図２】
2007193737.tif 000004
【図３】
2007193737.tif 000005
【図４】
2007193737.tif 000006
【図５】
2007193737.tif 000007
【図６】
2007193737.tif 000008
【図７】
2007193737.tif 000009
【図８】
2007193737.tif 000010